(57)【特許請求の範囲】
【請求項１】
コンタクトと、
前記コンタクトを保持するハウジングと、
前記ハウジングに被さるように設けられたシールド部材と、
前記シールド部材に被さるように設けられ、光源からの光を前記ハウジングの嵌合方向前方に導くライトガイドと、
前記ライトガイドが前記シールド部材に被せられたときに、前記ライトガイドを前記シールド部材に係止する係止手段とを備え、
前記シールド部材がほぼ筒状であり、
前記ライトガイドが前記シールド部材より一回り大きなほぼ筒状であり、前記ライトガイドが前記ハウジングに対して着脱可能であり、
前記シールド部材は、ほぼ筒状のシールド部材本体と、このシールド部材本体の前端に形成され、相手側コネクタを前記シールド部材本体内に誘い入れる複数の誘い部とを有し、
前記ライトガイドの内壁面に、前記ライトガイドを前記シールド部材に前方から装着するとき前記ライトガイドが前記シールド部材の誘い部に接触しないようにする複数の凹部が、前記嵌合方向へ延びるように形成され、
前記嵌合方向は、前記光源が実装されるプリント基板の実装面と平行であり、
前記ライトガイドを前記シールド部材に装着したとき前記プリント基板上の前記光源を収容するとともに、前記光源を発光させたときその光を前記嵌合方向と直交する方向で受光する切欠きが、前記ライトガイドに形成されている
ことを特徴とするコネクタ。
【発明の詳細な説明】
【技術分野】
【０００１】
この発明はコネクタに関する。
【背景技術】
【０００２】
従来、ハウジングと端子ユニットとシールド部材と２つのライトガイドとを備えている表示機能付コネクタが知られている（下記特許文献１参照）。
【０００３】
ハウジングは底板部と側壁部とを有する。底板部と側壁部との連結部分にはライトガイドを収容するライトガイド収容部が形成されている。ライトガイド収容部は表示機能付コネクタの相手側コネクタに対する嵌合方向へ延びている。ライトガイド収容部の一端はハウジングの前面に達し、ライトガイド収容部の他端はハウジングの底面に達している。したがって、ライトガイド収容部の前端はハウジングの前面で開口し、ライトガイド収容部の後端はハウジングの底面で開口している。
【０００４】
端子ユニットはユニット本体部と端子支持部と複数の端子と複数の接続ピンと複数の導電線とを有する。ユニット本体部は合成樹脂等の絶縁材料で形成され、ほぼ方形である。端子支持部は庇状であり、ユニット本体部の前面の上部から突出している。端子はほぼＶ字形に折り曲げられている。端子の一端部は端子支持部に支持され、端子の他端部はユニット本体部に支持されている。接続ピンはユニット本体部に支持され、ユニット本体部の底面から突出している。接続ピンはプリント基板のスルーホールに挿入され、電気的に接続されている。導電線は端子と接続ピンとを電気的に接続する。端子ユニットはハウジングに両側壁の間に収容され、ハウジングに固定されている。
【０００５】
シールド部材は金属製であり、ハウジング及び端子ユニットを覆う。シールド部材の前面にはライトガイド収容部の一端の開口に対向するライトガイド用開口が形成されている。
【０００６】
ライトガイドはほぼ角柱状であり、ライトガイド収容部に収容されている。ライトガイドの長手方向の後端部には、プリント基板に実装された光源であるＬＥＤを収容するための凹部が形成されている。ＬＥＤは表示機能付コネクタがプリント基板に実装されるときにライトガイド収容部の後端の開口を通じてライトガイドの凹部内に収容される。
【０００７】
ＬＥＤは例えば表示機能付コネクタが相手側コネクタに接続されたとき、或いは表示機能付コネクタ及び相手側コネクタを通じて信号が流れているとき等に発光する。ＬＥＤから発せられた光はライトガイドの凹部に入射し、ライトガイドの長手方向の先端面から出射される。これにより、表示機能付コネクタと相手側コネクタとが接続されたことを検知したり、信号が流れていることを検知したりすることができる。
【特許文献１】特開２００７−２８７３５０号公報
【発明の開示】
【発明が解決しようとする課題】
【０００８】
上述のコネクタでは、角柱状のライトガイドの長手方向の先端面から光が出射されるので、光が出射される面積は小さく、視認性が悪かった。
【０００９】
この発明はこのような事情に鑑みてなされたもので、その課題は光源からの光を視認しやすいコネクタを提供することである。
【課題を解決するための手段】
【００１０】
前述の課題を解決するため請求項１の発明のコネクタは、コンタクトと、前記コンタクトを保持するハウジングと、前記ハウジングに被さるように設けられたシールド部材と、前記シールド部材に被さるように設けられ、光源からの光を前記ハウジングの嵌合方向前方に導くライトガイドと、前記ライトガイドが前記シールド部材に被せられたときに、前記ライトガイドを前記シールド部材に係止する係止手段とを備え、前記シールド部材がほぼ筒状であり、前記ライトガイドが前記シールド部材より一回り大きなほぼ筒状であり、前記ライトガイドが前記ハウジングに対して着脱可能であり、前記シールド部材は、ほぼ筒状のシールド部材本体と、このシールド部材本体の前端に形成され、相手側コネクタを前記シールド部材本体内に誘い入れる複数の誘い部とを有し、前記ライトガイドの内壁面に、前記ライトガイドを前記シールド部材に前方から装着するとき前記ライトガイドが前記シールド部材の誘い部に接触しないようにする複数の凹部が、前記嵌合方向へ延びるように形成され、前記嵌合方向は、前記光源が実装されるプリント基板の実装面と平行であり、前記ライトガイドを前記シールド部材に装着したとき前記プリント基板上の前記光源を収容するとともに、前記光源を発光させたときその光を前記嵌合方向と直交する方向で受光する切欠きが、前記ライトガイドに形成されていることを特徴とする。
【００１１】
上述のように、前記ハウジングに被さるように設けられたシールド部材と、前記シールド部材に被さるように設けられ、光源からの光を前記ハウジングの嵌合方向前方に導くライトガイドとを備えているので、光源点灯時、光源の光がシールド部材の表面を反射し、その光がライトガイドによってハウジングの嵌合方向前方に導かれ、ライトガイドの嵌合方向前端が光る。
【発明の効果】
【００１３】
この発明によれば、光源からの光を視認しやすい。
【発明を実施するための最良の形態】
【００１４】
以下、この発明の実施の形態を図面に基づいて説明する。
【００１５】
図１はこの発明の一実施形態に係るコネクタのライトガイドを外した状態を示す斜視図、図２Ａは図１に示すコネクタの正面図、図２Ｂは同コネクタの平面図、図２Ｃは同コネクタの側面図、図２Ｄは同コネクタの図２ＡのIIＤ−IIＤ線に沿う断面図、図２Ｅは同コネクタの斜視図である。
【００１６】
図１、図２Ａ〜Ｅに示すように、コネクタ１０１は複数のコンタクト３とハウジング５とライトガイド７とシールド部材１１とを備えている。コネクタ１０１は例えば携帯電話機（図示せず）の充電用のコネクタであり、プリント基板２０に実装されている。プリント基板２０には光源である２つのＬＥＤ２１が実装されている。ＬＥＤ２１の光の出射方向はプリント基板２０の実装面２０ａに対して直角な方向である。
【００１７】
コンタクト３は接触部３ａと端子部３ｂと連結部（図示せず）とを有し、金属製である。接触部３ａは相手側コネクタ（図示せず）の相手側コンタクトと接触する。端子部３ｂはプリント基板２０の端子用パッド（図示せず）に半田付けされる。連結部は接触部３ａと端子部３ｂとを連結する。
【００１８】
ハウジング５はハウジング本体５１と接触部保持部５２とを有し、絶縁材料で形成されている。ハウジング本体５１はほぼ直方体状である。ハウジング本体５１にはコンタクト３の連結部が埋め込まれている。接触部保持部５２はハウジング本体５１の前面（相手側コネクタ側の面）の上部に結合されている。接触部保持部５２はハウジング５の相手側コネクタとの嵌合方向Ｄへ延びている。接触部保持部５２は複数のコンタクト３の接触部３ａを等間隔に保持している。ハウジング本体５１の嵌合方向Ｄ後端部には係止突起５１ａが形成されている。
【００１９】
ライトガイド７はライトガイド本体７１と突出部７２とを有し、無色透明のアクリル樹脂で形成されている。
【００２０】
ライトガイド本体７１はほぼ筒状であり、シールド部材１１よりも一回り大きい（図２Ａ参照）。したがって、ライトガイド７をシールド部材１１に対して嵌合方向Ｄに沿って着脱可能である。ライトガイド本体７１の内壁面には、嵌合方向Ｄへ延びる複数の凹部（図示せず）が形成されている。これらの凹部は嵌合方向Ｄでライトガイド７をシールド部材１１を介してハウジング５に対して着脱可能にするために、後述するシールド部材１１の誘い部１１２との接触を避けるための凹部である。ライトガイド本体７１の嵌合方向Ｄ後端側の下部には切欠き７１ｂが形成されている。ライトガイド７をシールド部材１１を介してハウジング５に装着したとき、ＬＥＤ２１は切欠き７１ｂに収容される。また、ＬＥＤ２１の光は切欠き７１ｂからライトガイド７内に入射し、ライトガイド７の嵌合方向Ｄ前面から出射する。このとき、ＬＥＤ２１の光はライトガイド７の外周面からも出射するので、ライトガイド７のほぼ全体が光る。
【００２１】
突出部７２はライトガイド本体７１の嵌合方向Ｄ前端側の下部に結合されている。これにより、ライトガイド７の嵌合方向Ｄ前面の面積が大きくなる。
【００２２】
シールド部材１１はシールド部材本体１１１と複数の誘い部１１２とを有し、金属製である。
【００２３】
シールド部材本体１１１はほぼ筒状である。シールド部材本体１１１の断面形状はほぼＤ字形である。シールド部材本体１１１の嵌合方向Ｄ後端側の下部には脚部１１１ａが形成されている（図１参照）。シールド部材本体１１１の嵌合方向Ｄ後端側の上部には切欠き１１１ｂが形成されている。切欠き１１１ｂはハウジング５の係止突起５１ａを受け入れて係止する。これにより、嵌合方向Ｄでハウジング５はシールド部材１１に対して正確に位置めされる。
【００２４】
シールド部材本体１１１の嵌合方向Ｄ後端の両側部には爪１１３と後壁１１４とが設けられている。爪１１３はシールド部材１１内にハウジング５が収容された後に、ハウジング本体５１の方へ折り曲げられる。これにより、ハウジング５はシールド部材１１に固定される。
【００２５】
複数の誘い部１１２はシールド部材本体１１１の嵌合方向Ｄ前端に形成されている。誘い部１１２は相手側コネクタをシールド部材本体１１１内へ誘い入れる。
【００２６】
コネクタ１０１をプリント基板２０に実装するには、まず、ライトガイド７が外された状態のシールド部材１１をプリント基板２０の所定位置（プリント基板２０上の２つのＬＥＤ２１の間）に配置する。
【００２７】
その後、コンタクトの端子部３ｂをプリント基板２０の端子用パッドに半田付けするとともに、シールド部材１１の脚部１１１ａをプリント基板２０のパッド２０１に半田付けする（図１参照）。これらの半田付けはリフロー半田付け方法で行われる。
【００２８】
最後に、シールド部材１１の前方から後方へスライドするようにライトガイド７をシールド部材１１に装着する。ライトガイド７がシールド部材１１に装着されると、ライトガイド７及びシールド部材１１に設けられた図示しない係止手段（例えばクリックストップ機構等）によってライトガイド７はシールド部材１１に係止される。
【００２９】
ＬＥＤ２１は例えば携帯電話機の電池を充電しているとき、或いは携帯電話機の電池の容量が少なくなったときに点灯或いは点滅する。
【００３０】
上述のようにシールド部材１１はほぼ筒状であって曲面を有しており（図１、図２Ａ参照）、シールド部材１１にライトガイド７が被さるように設けられているので、ＬＥＤ２１が点灯或いは点滅しているとき、ＬＥＤ２１の光はシールド部材１１によって表面を被接されたライトガイド７の内部を導光され、嵌合方向Ｄ前方へ導かれるので、ライトガイド７の嵌合方向Ｄ前端面が環状に光る。
【００３１】
以上のように、この実施形態によれば、ＬＥＤ２１から発せられる光を容易に視認することができる。
【００３２】
また、アクリル樹脂製のライトガイド７をシールド部材１１に対して着脱可能であるので、シールド部材１１をプリント基板２０にリフロー半田付けすることができ、半田付け作業が容易になる。
【００３３】
なお、上述の実施形態では、ライトガイド７をハウジング５に対して着脱可能にしたが、ライトガイド７をハウジング５に対して着脱可能にしなくても構わない。
【図面の簡単な説明】
【００３４】
【図１】図１はこの発明の一実施形態に係るコネクタのライトガイドを外した状態を示す斜視図である。
【図２Ａ】図２Ａは図１に示すコネクタの正面図である。
【図２Ｂ】図２Ｂは同コネクタの平面図である。
【図２Ｃ】図２Ｃは同コネクタの側面図である。
【図２Ｄ】図２Ｄは同コネクタのIIＤ−IIＤ線に沿う断面図である。
【図２Ｅ】図２Ｅは同コネクタの斜視図である。
【符号の説明】
【００３５】
１０１  コネクタ
３  コンタクト
５  ハウジング
７  ライトガイド
２１  ＬＥＤ（光源）
Ｄ  嵌合方向
Ｇ  筒状空間
【図１】
0004475543.tif 000002
【図２Ａ】
0004475543.tif 000003
【図２Ｂ】
0004475543.tif 000004
【図２Ｃ】
0004475543.tif 000005
【図２Ｄ】
0004475543.tif 000006
【図２Ｅ】
0004475543.tif 000007